(57)【特許請求の範囲】
【請求項１】
少なくとも、回転駆動源と、この回転駆動源の回転力を減速して伝達する歯車列と、この歯車列の回転により作動するカムと、前記カムによって駆動されることによってオンまたはオフ制御されるリーフスイッチを構成するリーフ接片と、これら各構成要素を収納する筺体とを有するタイムスイッチにおいて、
前記リーフ接片に設けられた外部回路接続用の端子と、前記外部回路接続用の端子を筺体外方に突出させるため前記筐体の所定位置に設けられた複数の切り欠き孔と、前記リーフ接片および所定の前記リーフ接片に設けられた端子に連結する導電性の連結部材を保持するため前記筐体の所定位置に設けられた複数の保持部と、を有し、
前記保持部の一部を空き状態とし、現在の配線状態以外の配線状態を設定可能に構成したことを特徴とするタイムスイッチ。
【請求項２】
前記連結部材は、その一端側が前記リーフ接片の先端と対向配置されることで、前記リーフ接片との間でスイッチ機能を果たすための接点部を設けたものであることを特徴とする請求項１記載のタイムスイッチ。
【請求項３】
前記筺体内に、前記リーフスイッチが複数個配置され、または、リーフスイッチとそのリーフスイッチの構成要素ではない連結部材が配置され、これら各リーフスイッチ同志またはリーフスイッチと連結部材同志を筺体の厚み方向に高さを異ならせて配置したことを特徴とする請求項１または２記載のタイムスイッチ。
【請求項４】
少なくとも、回転駆動源と、この回転駆動源の回転力を減速して伝達する歯車列と、この歯車列の回転により作動するカムと、前記カムによって駆動されることによってオンまたはオフ制御されるリーフスイッチを構成するリーフ接片と、これら各構成要素を収納する筺体とを有するタイムスイッチの製造方法において、
外部回路接続用の端子が設けられた前記リーフ接片を複数種類用意しておくとともに、共通端子として用いられる所定の前記リーフ接片に設けられた端子に連結する導電性の連結部材を用意しておき、
前記筺体には、前記リーフ接片に設けられた外部回路接続用の端子を筺体外方に突出させるための複数の切り欠き孔を予め決めた所定位置に設けておくとともに、各リーフ接片および前記連結部材を保持するための複数の保持部を予め決めた所定位置に設けておき、
前記予め用意された複数種類の前記リーフ接片を選択的に用い、そのリーフ接片を所定の保持部に保持させることで、その端子を筺体外方に突出させるとともに、前記連結部材の組み込みと非組み込みを選択して所定の配線状態を得ることを特徴とするタイムスイッチの製造方法。
【発明の詳細な説明】
【０００１】
【発明の属する技術分野】
本発明は、電子レンジなどに使用されるタイムスイッチおよびそのタイムスイッチの製造方法に関し、内部の接続関係をわずかに変更するだけで、端子数の異なる回路への対応を可能としたタイムスイッチに関する。
【０００２】
【従来の技術】
タイムスイッチは様々な電子機器に使用されている。たとえば、電子レンジについて考えると、そのタイムスイッチは、メインのスイッチ（通常の調理を行うためのスイッチで、以下では調理用スイッチという）と解凍用のスイッチの２つスイッチにより構成され、これらのスイッチを、１つのタイムスイッチ機構により制御するのが一般的である。
【０００３】
そして、外部回路、つまり、電子レンジに用いられる回路の仕様によって、タイムスイッチと電子レンジ内の回路とを接続する端子の数が、たとえば、４端子、５端子、さらには、６端子など様々なタイプがある。したがって、タイムスイッチもこれらの様々なタイプの回路に対応できるような構造とする必要がある。
【０００４】
たとえば、図１４（Ａ）に示す回路は、６端子用の回路に対応させたタイムスイッチ内の回路構成であり、タイマモータＭ、調理用スイッチｓｗ１、解凍用スイッチｓｗ２がそれぞれ独立した回路構成となっている。つまり、調理用スイッチｓｗ１は端子ｔ１と端子ｔ２間に介在され、解凍用スイッチｓｗ２は端子ｔ３と端子ｔ４間に介在され、タイマモータＭは端子５と端子ｔ６間に介在される構成となっている。このように、６端子用の回路に対応させるには、タイムスイッチ側では、図１４（Ｂ）に示すように、端子ｔ１〜ｔ６の６つ端子を外部回路接続用として設ける必要がある。
【０００５】
この図１４（Ｂ）に示されるタイムスイッチは、その内部にタイマモータＭや多数の歯車からなる減速機構、カム、リーフスイッチで構成される調理用スイッチｓｗ１、解凍用スイッチｓｗ２などが設けられるが、ここでは、これらの具体的な構成についての図示は省略し、タイムスイッチの筺体１に突出して設けられる端子ｔ１〜ｔ６と、それぞれの端子に接続されるタイマモータＭ、調理用スイッチｓｗ１、解凍用スイッチｓｗ２を一般の電気回路で用いられる記号を使って示している。そして、タイマモータＭの回転によって、図示しないカムが駆動され、調理用スイッチｓｗ１、解凍用スイッチｓｗ２がオンまたはオフに制御され、これにより、タイマとしての働きをする。
【０００６】
また、図１５（Ａ）に示す回路は、５端子用の回路に対応させたタイムスイッチ内の回路構成であり、調理用スイッチｓｗ１が独立した構成となっており、この調理用スイッチｓｗ１は、端子ｔ４と端子ｔ５の間に介在される。そして、解凍用スイッチｓｗ２は端子ｔ２と端子ｔ３間に介在され、タイマモータＭは端子ｔ１と端子ｔ３間に介在される構成となっている。つまり、端子ｔ３を解凍用スイッチｓｗ２とタイマモータＭの共通端子として用いた５端子用の回路に対応させた構成となっている。このように、５端子の回路に対応させるには、タイムスイッチ側では、図１５（Ｂ）に示すように、端子ｔ１〜ｔ５の５つの端子を外部回路接続用として設ける必要がある。
【０００７】
また、図１６（Ａ）に示す回路は、４端子用の回路に対応させたタイムスイッチ内の構成であり、端子ｔ３が共通端子となっており、この端子ｔ３と端子ｔ１間にはタイマモータＭが介在され、端子ｔ３と端子２の間には解凍用スイッチｓｗ２が介在され、端子ｔ３と端子４の間には調理用スイッチｓｗ１が介在される構成となっている。このような４端子用の回路に対応させるには、タイムスイッチ側では、図１６（Ｂ）に示すように、端子ｔ１〜ｔ４の４つの端子を外部回路接続用として設ける必要がある。
【０００８】
なお、図１５（Ｂ）、図１６（Ｂ）も図１４（Ｂ）と同様に、その内部にタイマモータＭや多数の歯車からなる減速機構、カム、リーフスイッチで構成される調理用スイッチｓｗ１、解凍用スイッチｓｗ２などが設けられるが、ここでは、これらの具体的な図示は省略し、タイムスイッチの筺体１に突出して設けられる端子ｔ１〜ｔ４、端子ｔ１〜ｔ５と、それぞれの端子に接続されるタイマモータＭ、第１、第２のスイッチｓｗ１，ｓｗ２を一般的な電気回路で用いられる記号を使って示されている。そして、前述したように、タイマモータＭの回転によって図示しないカムが駆動され、調理用スイッチｓｗ１、解凍用スイッチｓｗ２がオンまたはオフに制御され、これにより、タイマとしての働きをする。
【０００９】
【発明が解決しようとする課題】
このように、電子レンジに用いられる回路には幾つものタイプがあるため、従来では、それぞれのタイプに応じて、タイムスイッチを設計する必要がある。たとえば、６端子用の回路に対応させるには、それに応じて、６つの端子ｔ１〜ｔ６と、調理用スイッチｓｗ１、解凍用スイッチｓｗ２の位置関係や、これら各構成要素にタイマモータＭを加えた相互の接続関係を考慮したタイムスイッチを設計する必要があり、また、５端子用の回路に対応させるには、それに応じたタイムスイッチを設計する必要がある。
【００１０】
しかしながら、タイムスイッチを、電子機器の回路の仕様に対応するように、その都度、基本的な構成までを変えるのは、生産性がきわめて悪く、コストにも影響を及ぼしてくるという問題がある。
【００１１】
そこで、本発明は、タイムスイッチの基本的な構成部分は共通化し、電子機器の回路仕様の違いに対し、わずかな手を加えるだけで様々な回路への対応を可能とすることで、生産性の向上、コストの低廉化に寄与できるタイムスイッチを提供することを目的とする。
【００１２】
【課題を解決するための手段】
かかる目的を達成するため、本発明のタイムスイッチは、少なくとも、回転駆動源と、この回転駆動源の回転力を減速して伝達する歯車列と、この歯車列の回転により作動するカムと、カムによって駆動されることによってオンまたはオフ制御されるリーフスイッチを構成するリーフ接片と、これら各構成要素を収納する筺体とを有するタイムスイッチにおいて、リーフ接片に設けられた外部回路接続用の端子と、外部回路接続用の端子を筺体外方に突出させるため筐体の所定位置に設けられた複数の切り欠き孔と、リーフ接片および所定のリーフ接片に設けられた端子に連結する導電性の連結部材を保持するため筐体の所定位置に設けられた複数の保持部と、を有し、記保持部の一部を空き状態とし、現在の配線状態以外の配線状態を設定可能に構成している。
【００１５】
また、他の発明は、上述の発明のタイムスイッチに加え、連結部材は、その一端側がリーフ接片の先端と対向配置されることで、リーフ接片との間でスイッチ機能を果たすための接点部を設けたものとしている。
【００１６】
さらに、他の発明は、上述の各発明のタイムスイッチに加え、筺体内に、リーフスイッチが複数個配置され、または、リーフスイッチとそのリーフスイッチの構成要素ではない連結部材が配置され、これら各リーフスイッチ同志またはリーフスイッチと連結部材同志を筺体の厚み方向に高さを異ならせて配置するようにしている。
【００１７】
また、他の発明のタイムスイッチの製造方法は、少なくとも、回転駆動源と、この回転駆動源の回転力を減速して伝達する歯車列と、この歯車列の回転により作動するカムと、カムによって駆動されることによってオンまたはオフ制御されるリーフスイッチを構成するリーフ接片と、これら各構成要素を収納する筺体とを有するタイムスイッチの製造方法において、外部回路接続用の端子が設けられたリーフ接片を複数種類用意しておくとともに、共通端子として用いられる所定のリーフ接片に設けられた端子に連結する導電性の連結部材を用意しておき、筺体には、リーフ接片に設けられた外部回路接続用の端子を筺体外方に突出させるための複数の切り欠き孔を予め決めた所定位置に設けておくとともに、各リーフ接片および連結部材を保持するための複数の保持部を予め決めた所定位置に設けておき、予め用意された複数種類のリーフ接片を選択的に用い、そのリーフ接片を所定の保持部に保持させることで、その端子を筺体外方に突出させるとともに、連結部材の組み込みと非組み込みを選択して所定の配線状態を得るようにしている。
【００１８】
本発明は、タイムスイッチが接続される電子機器内の回路の仕様の違いに対し、１つの共通化されたタイムスイッチにて対応できるようにしたものである。ここでの回路の仕様の違いというのは、タイムスイッチと電子機器内の回路とを接続するための端子数を指している。前述したように、たとえば、６端子、５端子、４端子など様々なタイプがある。これらの端子数の違いを１つのタイムスイッチで共用することができるようにする。
【００１９】
これを実現するために、外部回路接続用の端子が設けられたリーフ接片を複数個用意しておくとともに、他のリーフ接片に設けられた端子を共通端子として用いる場合、その端子との間を連結する導電性の連結部材を必要に応じて用意しておく。また、筺体側には、リーフ接片に設けられた外部回路接続用の端子を筺体外方に突出させるための複数の切り欠き孔を予め決めた所定位置ごとに設けておくとともに、各リーフ接片および連結部材を保持するための複数の保持部を予め決めた所定位置ごとに設けておく。
【００２０】
そして、外部回路の仕様の違いに応じて、予め用意された複数のリーフ接片を選択的に用い、そのリーフ接片を所定の保持部に保持させることで、その端子部を筺体外方に突出させるとともに、必要に応じて、連結部材によって所定端子との間を接続状態とし、外部回路の仕様に対応した配線状態を得るようにしている。
【００２１】
このように、６端子、５端子、４端子など様々なタイプの回路に対し、タイムスイッチ内のリーフスイッチの配置などをわずかに変更するだけで、対応することができ、使用する電子機器の回路に応じたタイムスイッチを新たに設計して用意する必要がなくなる。
【００２２】
【発明の実施の形態】
以下、本発明の実施の形態の例を図１から図９に基づき説明する。なお、この実施の形態では、電子レンジに使用されるタイムスイッチについて説明する。
【００２３】
図１は、タイムスイッチの内部構成を平面的に示すもので、筺体１１の内部のほぼ中央部には、調理時間設定歯車１２が設けられ、この調理時間設定用歯車１２は、多数の歯車列１３を介して駆動源となるタイマモータＭの回転駆動力を受けるようになっている。そして、調理時間設定用歯車１２には、調理時間設定用つまみ（図示せず）を取付けるためのつまみ取付軸１４が上方（この図面と直交する方向）に突出して設けられる。
【００２４】
さらに、調理時間設定用歯車１２には、一体的に第１のカム１２ａが設けられると共にその近傍に第１の動作体１５が配置される。この第１のカム１２ａと第１の動作体１５は、調理時間設定用歯車１２の回転によって作動し、詳細な構成をのちに説明する調理用スイッチｓｗ１を制御（調理時間設定後は、オンからオフ）する。つまり、調理時間設定用つまみを所定の時間にセットすると、調理用スイッチｓｗ１がオン状態となり調理を開始して、以降、タイマモータＭの回転により、所定時間経過すると、第１のカム１２ａと第１の動作体１５の働きにより、調理用スイッチｓｗ１をオフ状態として、調理を終了するというような動作を行う。
【００２５】
一方、タイマモータＭの回転力は、歯車列１３を介して解凍時間設定用歯車１６にも伝えられる。この解凍時間設定用歯車１６には、一体的に第２のカム１６ａが設けられると共にその近傍に第２の動作体１７が配置される。この第２のカム１６ａと第２の動作体１７は、詳細な構成をのちに説明する解凍用スイッチｓｗ２を制御（解凍時間設定後は、オンからオフ）する。つまり、設定された解凍時間に達すると、第２のカム１６ａと第２の動作体１７の働きにより、解凍用スイッチｓｗ２をオフ状態とする。
【００２６】
以上が、電子レンジ用のタイムスイッチの概略的な構成である。なお、実際には、電子レンジ用のタイムスイッチとしての構成や動作は、前述の説明以外にもさまざまな要素が含まれるが、本発明に直接関係しない部分についての説明は省略する。
【００２７】
本発明は、タイマモータＭ、調理用スイッチｓｗ１、解凍用スイッチｓｗ２を電子レンジ内に設けられた電気回路と接続するためのそれぞれの端子を、電気回路の仕様に合わせてどのような配置とするかに主な特徴がある。以下、この点について説明する。
【００２８】
ところで、図１で示されたタイムスイッチは、６端子用の回路に対応させた例である。つまり、図２（Ａ）に示すような６端子用の回路に対応させたものである。この図２（Ａ）は、前述した従来技術の項で説明した図１４（Ａ）と同じく、タイマモータＭ、調理用スイッチｓｗ１、解凍用スイッチｓｗ２をそれぞれ独立させたものであり、この場合、調理用スイッチｓｗ１は端子ｔ１と端子ｔ２間に介在され、解凍用スイッチｓｗ２は端子ｔ３と端子ｔ６間に介在され、タイマモータＭは端子４と端子ｔ５間に介在される構成となっている。なお、これら端子ｔ４，ｔ５はタイマモータＭへの電源供給用の端子として用いられる。
【００２９】
このような６端子の回路に対応させるには、タイムスイッチ側では、それぞれの端子ｔ１〜ｔ６の位置と、調理用スイッチｓｗ１，解凍用スイッチｓｗ２の配置を図１のようにする。なお、これら、調理用スイッチｓｗ１と解凍用スイッチｓｗ２およびそれぞれ端子ｔ１〜ｔ６は、図１（のちに説明する図７、図１０も同様）において、これらの位置関係を分かり易くするため、黒く塗りつぶされている。また、タイマモータＭが配置される側から見た端子ｔ１〜ｔ６の位置関係を図６に示す。
【００３０】
調理用スイッチｓｗ１は、リーフ接片ｓ１１，ｓ１２で構成され、それぞれのリーフ接片ｓ１１，ｓ１２の長手方向の先端部に設けられた接点ｐ１１，ｐ１２が接触・非接触することでオン・オフ状態を得る。解凍用スイッチｓｗ２も同様に、リーフ接片ｓ２１，ｓ２２で構成され、それぞれのリーフ接片ｓ２１，ｓ２２の先端部に設けられた接点ｐ２１，ｐ２２が接触・非接触することでオン・オフ状態を得る。なお、リーフ接片ｓ２２は、通常、接片というよりターミナルと表現されるものであるが、本実施の形態の説明では、このターミナル機能的なものを含めてリーフ接片と呼ぶこととする。
【００３１】
また、これら各リーフ接片ｓ１１，ｓ１２，ｓ２１，ｓ２２の長手方向の後端側には、外部回路、つまり、電子レンジ内に設けられた回路に接続するための端子ｔ１，ｔ２，ｔ３，ｔ６（端子ｔ４，ｔ５については後述する）がそれぞれのリーフ接片に対し直交する方向に突出して設けられる。さらに、リーフ接片ｓ１１，ｓ１２，ｓ２１，ｓ２２のうち、この場合、リーフ接片ｓ１１，ｓ１２，ｓ２１は、その接片長手方向の後端側付近で９０度に折れ曲げられている。
【００３２】
図３は、この実施の形態で用いられるリーフ接片ｓ１１，ｓ１２，ｓ２１、ｓ２２、さらには、連結部材としての第１、第２のリーフ接片ｓ３１，ｓ３２の一例を示すもので、図３（Ａ）はリーフ接片ｓ１１を示し、（Ｂ）はリーフ接片ｓ１２を示し、（Ｃ）はリーフ接片ｓ２１を示し、（Ｄ）はリーフ接片ｓ２２を示している。また、図３（Ｅ）は連結部材としての第１のリーフ接片（以下、第１の連結用リーフ接片という）ｓ３１、（Ｆ）は連結部材としての第２のリーフ接片（以下、第２の連結用リーフ接片という）ｓ３２であるが、これら第１、第２の連結用リーフ接片ｓ３１，ｓ３２については後に説明する。
【００３３】
前述の各リーフ接片ｓ１１，ｓ１２，ｓ２１，ｓ２２は、各リーフ接片の所定部分が筺体１１側に設けられた保持部（後に説明する）に圧入されることにより保持されるようになっている。
【００３４】
一方、図５に示すように、筺体１１側には、前述の端子ｔ１〜ｔ６を筺体１１の外方に突出させるための切り欠き部１８ａ〜１８ｆが予め決められた所定位置に設けられる。これら切り欠き部１８ａ〜１８ｆのうち、切り欠き部１８ａは端子ｔ１を筺体１１の外方に突出させるためのものであり、切り欠き部１８ｂは端子ｔ２を筺体１１の外方に突出させるためのものであり、以下同様に、切り欠き部１８ｃは端子ｔ３を、切り欠き部１８ｄは端子ｔ４を、切り欠き部１８ｅは端子ｔ５を、切り欠き部１８ｆは端子ｔ６を筺体１１の外方にそれぞれ突出させるためのものである。
【００３５】
なお、端子ｔ４と端子ｔ５は、リーフ接片に取り付けて用いられるものではなく、それぞれが単独で用いられるものであり、たとえば、図４のような形状となっている。端子ｔ４，ｔ５はほぼ同じ形状でよいため、図４では端子ｔ４のみを示している。これら端子ｔ４，ｔ５は、前述したように、タイマモータＭへの電源供給用端子として用いられるもので、その先端部ｋをタイマモータＭの電源供給部１９ａ，１９ｂに半田付けなどにより接続する。
【００３６】
そして、筺体１１の内部には、各リーフ接片ｓ１１，ｓ１２，ｓ２１，ｓ２２（このほかに、後述する５端子用、４端子用の電気回路に対応させようとしたときには、必要に応じて第１の連結用リーフ接片ｓ３１または第２の連結用リーフ接片ｓ３２が用いられる）を保持するための保持部２０ａ、２０ｂ，２０ｃ，２０ｄ，２０ｅ，２０ｆ，２０ｇ，２０ｈが予め決められた所定位置に設けられる。
【００３７】
保持部２０ａは、リーフ接片ｓ１１を端子ｔ１部分で保持するもので、保持部２０ｂはリーフ接片ｓ１２を端子ｔ２部分で保持するものある。つまり、リーフ接片ｓ１１は、その端子ｔ１を切り欠き部１８ａに挿入し、さらに、保持部２０ａにその端子ｔ１部分を圧入することで保持される。これにより、リーフ接片ｓ１１の先端側（接点ｐ１１側）は、前述した第１のカム１２ａおよび第１の動作体１５の作動により揺動自在となる位置に配置されることになる。
【００３８】
また、リーフ接片ｓ１２は、その端子ｔ２を切り欠き部１８ｂに挿入し、さらに、保持部２０ｂにその端子ｔ２部分を圧入することで保持されるとともに、その先端側（接点ｐ１２側）は、規制部材２１により動きが規制されるようになっている。このようにしてリーフ接片ｓ１１，ｓ１２が取り付けられることにより、リーフ接片ｓ１１の接点ｐ１１とリーフ接片ｓ１２の接点ｐ１２は対向した状態となる。そして、第１の動作体１５の働きにより、リーフ接片ｓ１１側の接点ｐ１１がリーフ接片ｓ１２側の接点ｐ１２に対して接触・非接触動作を行い、これによって調理用スイッチｓｗ１は、オンまたはオフの状態を得ることができる。
【００３９】
また、保持部２０ｃは、リーフ接片ｓ２１を端子ｔ３部分で保持するもので、保持部２０ｄはリーフ接片ｓ２２を端子ｔ６部分で保持するものである。つまり、リーフ接片ｓ２１はその端子ｔ３を切り欠き部１８ｃに挿入し、さらに、保持部２０ｃにその端子ｔ３部分を圧入することで保持される。このとき、リーフ接片ｓ２１の先端側（接点ｐ２１側）は、前述した第２の動作体１７の作動により揺動自在となる位置に配置されることになる。
【００４０】
また、保持部２０ｅ，２０ｆは、第１の連結用リーフ接片ｓ３１を保持するもので、保持部２０ｇは端子ｔ４、保持部２０ｈは端子ｔ５をそれぞれ保持するものである。
【００４１】
一方、リーフ接片ｓ２２は、その端子ｔ６を切り欠き部１８ｆに挿入し、さらに、保持部２０ｄにその端子ｔ６部分を圧入することで保持される。なお、このリーフ接片ｓ２２は、筺体１１内に設けられた仕切板２２により、その動きが規制されるようになっている。このとき、リーフ接片ｓ２１の接点ｐ２１とリーフ接片ｓ２２の接点ｐ２２は対向した状態となる。そして、第２の動作体１７の働きにより、リーフ接片ｓ２１側の接点ｐ２１がリーフ接片ｓ２２側の接点ｐ２２に対して接触・非接触動作を行い、これによって解凍用スイッチｓｗ２は、オンまたはオフの状態を得ることができる。
【００４２】
また、６端子用の回路に対応させるためには、図２（Ａ）からもわかるように、端子ｔ４と端子ｔ５は、タイマモータＭへの電源供給用端子としての働きを有するものであるから、端子ｔ４は保持部２０ｇに保持させその先端部を切り欠き部１８ｄから外方に突出させ、端子ｔ５は保持部２０ｈに保持させその先端部を切り欠き部１８ｅから外方に突出させたのち、それぞれの端子ｔ４，ｔ５の筺体内部分にタイマモータＭの電源供給部１９ａ，１９ｂを半田付けするなどして接続する。
【００４３】
以上のように、図１で示されるような構成とすることにより、タイマモータＭ、調理用スイッチｓｗ１，解凍用スイッチｓｗ２と、それぞれの端子ｔ１〜ｔ６の関係を図２（Ａ）のような回路構成とすることができる。これにより、６端子の電気回路に対応させることができる。すなわち、端子ｔ１と端子ｔ２との間は、リーフ接片ｓ１１とリーフ接片ｓ１２による調理スイッチｓｗ１が形成され、第１のカム１２ａと第１の動作体１５の働きにより、接点ｐ１１が接点ｐ１２に対して接触または非接触（オンまたはオフ）となる状態を得ることができる。また、端子ｔ３と端子ｔ６との間は、リーフ接片ｓ２１とリーフ接片ｓ２２による解凍用スイッチｓｗ２が形成され、第２のカム１６ａと第２の動作体１７の働きにより、接点ｐ２１が接点ｐ２２に対して接触または非接触（オンまたはオフ）となる状態を得ることができる。また、タイマモータＭへの電源供給は端子ｔ４と端子ｔ５により行うことができる。
【００４４】
図５は、図１を矢印Ａ方向から見た図である。この図５は、各端子やリーフ接片の位置関係を示すのが目的であるので、それに関係しない部分の図示は省略されている。なお、図１と同一部分には同一符号が付されている。
【００４５】
この図５からもわかるように、調理用スイッチｓｗ１を形成するリーフ接片ｓ１１，ｓ１２と、解凍用スイッチｓｗ２を形成するリーフ接片ｓ２１，ｓ２２とは、同一平面上に設けられるのではなく、タイムスイッチの厚み方向に高さを変えて段違いに設けられている。つまり、この場合、調理用スイッチｓｗ１を形成するリーフ接片ｓ１１，ｓ１２が下段すなわち時間設定用のつまみ取付軸１４のつまみ側とは反対側に位置し、解凍用スイッチｓｗ２を形成するリーフ接片ｓ２１，ｓ２２が上段すなわち、つまみ側に位置するような構造となっている。しかもタイマモータＭ用の端子ｔ４は、リーフ切片ｓ２２を高さ方向に空間をおいて重ねて配置されている。
【００４６】
これは、タイムスイッチとして限られたスペースを有効に利用するためである。これら調理用スイッチｓｗ１を形成するリーフ接片ｓ１１，ｓ１２と、解凍用スイッチｓｗ２を形成するリーフ接片ｓ２１，ｓ２２とを、同一平面上に設けることになれば、タイムスイッチの平面的なスペースがより多く必要となるが、高さ方向（タイムスイッチの厚み）は、多数の歯車列などによって決まる一定の厚みが得られているので、その厚みの範囲で、調理用スイッチｓｗ１を形成するリーフ接片ｓ１１，ｓ１２と、解凍用スイッチｓｗ２を形成するリーフ接片ｓ２１，ｓ２２とを、段違いに設けることが可能となる。これにより、タイムスイッチがもともと持っているスペースを有効に利用することができる。このような構造とするのは、後に説明する５端子用、４端子用についても同様である。
【００４７】
以上が６端子用の回路に対応させるための構造であるが、次に、５端子用の回路に対応させるための構造とする場合について説明する。この場合、図１で説明したタイムスイッチ機構の筺体１１やその中に収納されている歯車列１３、タイマモータＭ、第１のカム１２ａおよび第１の動作体１５、第２のカム１６ａおよび第２の動作体１７などの基本的な構成部分はそのまま用い、リーフ接片や端子の出し方などを少し変更するだけで実現できる。なお、ここでは、タイムスイッチ内の回路を図２（Ｂ）に示すような回路とするための構造について以下に説明する。
【００４８】
図２（Ｂ）の回路は、調理用スイッチｓｗ１は端子ｔ１と端子ｔ２間に介在され、解凍用スイッチｓｗ２は端子ｔ３と端子ｔ２間に介在され、タイマモータＭは端子ｔ４と端子ｔ５間に介在される構成となっている。つまり、この場合は、端子ｔ２を調理用スイッチｓｗ１、解凍用スイッチｓｗ２に対し共通端子とすることで、端子ｔ６を用いない構成となっている。このような５端子用の回路に対応させるには、タイムスイッチの筺体１１側では、それぞれの端子ｔ１〜ｔ５の位置と、調理用スイッチｓｗ１，解凍用スイッチｓｗ２の配置を図７のようにする。
【００４９】
図７において、リーフ接片ｓ１１，ｓ１２と、リーフ接片ｓ２１の取付方は図１の場合と全く同じである。そして、図１で用いたリーフ接片ｓ２２はここでは不要となるのでこのリーフ接片ｓ２２は取付を行わない。ただし、この場合は、別に用意した第１の連結用リーフ接片ｓ３１を用意する。この第１の連結用リーフ接片ｓ３１は、図３（Ｅ）で示したように、直線状のリーフ接片であり、先端側に接点ｐ３１が設けられている。そして、筺体１１に設けられた保持部２０ｅにより、第１の連結用リーフ接片ｓ３１の後端側が保持され、保持部２０ｆにより先端側付近が保持される。
【００５０】
第１の連結用リーフ接片ｓ３１がこのように保持部２０ｅ，２０ｆで保持されると、その接点ｐ３１はリーフ接片ｓ２１の接点ｐ２１に対向した状態となる。そして、第２の動作体１７の働きにより、リーフ接片ｓ２１側の接点ｐ２１が第１の連結用リーフ接片ｓ３１側の接点ｐ３１に対して接触・非接触動作を行う。これにより、この第１の連結用リーフ接片ｓ３１とリーフ接片ｓ２１で解凍用スイッチｓｗ２が形成される。
【００５１】
また、図８に示すように、調理用スイッチｓｗ１を形成するリーフ接片ｓ１１，ｓ１２と、解凍用スイッチｓｗ２を形成するリーフ接片ｓ２１、第１の連結用リーフ接片ｓ３１とは、同一平面上に設けられるのではなく、段違いに設けられている。つまり、調理用スイッチｓｗ１を形成するリーフ接片ｓ１１，ｓ１２が下段に位置し、解凍用スイッチｓｗ２を形成するリーフ接片ｓ２１、第１の連結用リーフ接片ｓ３１が上段に位置するような構造となっている。そして、第１の連結用リーフ接片ｓ３１の後端近くがリーフ接片ｓ１２の端子ｔ２と接触交差するようになっている。なお、この交差部分ｃは半田付けなどで接続することで、電気的な接続を確実なものとするのが好ましい。
【００５２】
以上のような構成とすることにより、タイマモータＭ、メインスイッチｓｗ１，解凍用スイッチｓｗ２と、それぞれの端子ｔ１〜ｔ５の関係を図２（Ｂ）のような構成とすることができる。これにより、５端子の電気回路に対応させることができる。すなわち、端子ｔ１と端子ｔ２との間は、リーフ接片ｓ１１とリーフ接片ｓ１２による調理用スイッチｓｗ１が形成され、第１の動作体１５の働きにより、接点ｐ１１が接点ｐ１２に対して接触または非接触（オンまたはオフ）となる状態を得ることができる。また、端子ｔ３と端子ｔ２との間は、リーフ接片ｓ２１と第１の連結用リーフ接片ｓ３１による解凍用スイッチｓｗ２が形成され、第２の動作体１７の働きにより、接点ｐ２１が接点ｐ３１に対して接触または非接触（オンまたはオフ）となる状態を得ることができる。また、タイマモータＭへの電源供給は端子ｔ４と端子ｔ５により行うことができる。なお、これらの端子ｔ１〜ｔ５の位置関係を、タイマモータＭが配置される側から見た図９によって示す。
【００５３】
また、同じ５端子用の回路構成であっても、図２（Ｃ）のような回路構成とすることも容易にできる。この場合は、調理用スイッチｓｗ１と解凍スイッチｓｗ２は図１とまったく同じとし、タイマモータＭの電源供給部１９ａ，１９ｂのうち、電源供給部１９ａは端子ｔ４に接続し、電源供給部１９ｂは端子ｔ２に対して、図３（Ｆ）で示した第２の連結用リーフ接片ｓ３２を用いて接続することで実現できるが、リード線などを用いて半田付けなどにより接続するようにしてもよい。
【００５４】
以上が５端用子の電気回路に対応させるための構造であるが、次に、４端子用の回路に対応させるための構造とする場合について説明する。この場合、図１または図７で説明したタイムスイッチの筺体１１やその中に収納されている歯車列１３、タイマモータＭ、第１のカム１２ａおよび第１の動作体１５、第２のカム１６ａおよび第２の動作体１７などの基本的な構成部分はそのまま用い、リーフ接片や端子の出し方などを少し変更するだけで実現できる。なお、ここでは、タイムスイッチ内の回路を図２（Ｄ）に示すような回路とするための構造について以下に説明する。
【００５５】
図２（Ｄ）に示す回路は、調理用スイッチｓｗ１は端子ｔ１と端子ｔ２間に介在され、解凍用スイッチｓｗ２は端子ｔ３と端子ｔ２間に介在され、タイマモータＭは端子ｔ４と端子ｔ２間に介在される構成となっている。つまり、この場合は、端子ｔ２を、タイマモータＭ、調理用スイッチｓｗ１，解凍用スイッチｓｗ２に対し共通端子としている。
【００５６】
このような４端子用の回路に対応させるには、タイムスイッチ側では、それぞれの端子ｔ１〜ｔ４の位置と、調理用スイッチｓｗ１，解凍用スイッチｓｗ２の配置を図１０のようにする。
【００５７】
図１０において、リーフ接片ｓ１１，ｓ１２と、リーフ接片ｓ２１の取付方法は図１及び図７の場合と全く同じである。そして、図１で用いたリーフ接片ｓ２２はここでは不要となるのでこのリーフ接片ｓ２２は取付を行わない。ただし、この場合は、別に用意した第１の連結用リーフ接片ｓ３１および第２の連結用リーフ接片ｓ３２を用意する。この第１の連結用リーフ接片ｓ３１の取付方法は図７で示した５端子用の場合と同じであり、第２の動作体１７の働きにより、リーフ接片ｓ２１側の接点ｐ２１が第１の連結用リーフ接片ｓ３１側の接点ｐ３１に対して接触・非接触動作を行う。この第１の連結用リーフ接片ｓ３１とリーフ接片ｓ２１で解凍用スイッチｓｗ２が形成される。
【００５８】
また、第２の連結用リーフ接片ｓ３２は、端子ｔ２とタイマモータＭの電源供給部１９ｂとを何らかの手段により接続する役目を果たすもので、この第２の連結用リーフ接片ｓ３２の一端側をリーフ接片ｓ１２に接続させ、他端側をタイマモータＭの一方の電源供給端子１９ｂに接続するようにしている。なお、この第２の連結用リーフ接片ｓ３２は、筺体１１側に設けられた保持部２０ｆの下端部分で保持させることができるようになっている。そして、保持部２０ｆにより保持させた後、一端側をリーフ接片ｓ１２に半田付けなどより接続し、他端側をタイマモータＭの電源供給端子部１９ｂに半田付けなどにより接続する。
【００５９】
このような構成とすることにより、タイマモータＭ、調理スイッチｓｗ１、解凍用スイッチｓｗ２と、それぞれの端子ｔ１〜ｔ４の関係を図２（Ｄ）のような構成とすることができる。これにより、４端子用の回路に対応させることができる。すなわち、端子ｔ１と端子ｔ２との間は、リーフ接片ｓ１１とリーフ接片ｓ１２による調理スイッチｓｗ１が形成され、第１の動作体１５の働きにより、接点ｐ１１が接点ｐ１２に対して接触または非接触（オンまたはオフ）となる状態を得ることができる。また、端子ｔ３と端子ｔ２との間は、リーフ接片ｓ２１とリーフ接片ｓ３１による解凍用スイッチｓｗ２が形成され、第２の動作体１７の働きにより、接点ｐ２１が接点ｐ３１に対して接触または非接触（オンまたはオフ）となる状態を得ることができる。また、タイマモータＭへの電源供給は端子ｔ２と端子ｔ４により行うことができる。なお、これらの端子ｔ１〜ｔ４の位置関係を、タイマモータＭが配置される側から見た図１２によって示す。
【００６０】
また、図１１に示すように、調理用スイッチｓｗ１を形成するリーフ接片ｓ１１，ｓ１２と、解凍用スイッチｓｗ２を形成するリーフ接片ｓ２１、第１の連結用リーフ接片ｓ３１とは、同一平面上に設けられるのではなく、段違いに設けられている。つまり、調理用スイッチｓｗ１を形成するリーフ接片ｓ１１，ｓ１２が下段に位置し、解凍用スイッチｓｗ２を形成するリーフ接片ｓ２１、連結用リーフ接片ｓ３１リーフが上段に位置するような構造となっている。そして、第１の連結用リーフ接片ｓ３１の後端近くがリーフ接片ｓ１２の端子ｔ２と接触交差するようになっている。なお、この交差部分ｃは半田付けなどで接続することで、電気的な接続を確実なものとするのが好ましい。
【００６１】
また、同じ４端子用の構成であっても図２（Ｅ）のような構成とすることも容易にできる。この場合は、調理用スイッチｓｗ１と解凍用スイッチｓｗ２は図１０とまったく同じとし、タイマモータＭの電源供給部を一方は端子ｔ６に接続し、他方を端子ｔ２に接続する構成となっている。この場合は、端子ｔ４は用いずに、その代わりに端子ｔ６を取り付けて、その端子ｔ６とタイマモータＭの一方の電源供給部１９ａとを接続することで実現できる。
【００６２】
以上のように、この実施の形態では、６端子用の回路、５端子用の回路、４端子用の回路に対応させるために、タイマモータＭ、調理スイッチｓｗ１、解凍用スイッチｓｗ２を、図２（Ａ）〜（Ｅ）に示すような接続関係とする場合について説明した。このように、様々な仕様の電気回路に対し、タイムスイッチ機構の構造そのものを大幅に変更することなく、リーフ接片ｓ１１，ｓ１２，ｓ２１，ｓ２２、さらには、連結用のリーフ接片ｓ３１，ｓ３２ならびに端子ｔ１〜ｔ６を、選択的に用いて所定の保持部に取り付けたり、必要に応じて、半田付けを行う程度の処理を行うだけで、様々な仕様の電気回路に対応させることができる。
【００６３】
なお、上述の各実施の形態は、本発明の好適な実施の形態の例であるが、これに限定されるものではなく、本発明の要旨を逸脱しない範囲において、種々変形実施可能である。例えば、タイマモータＭ、調理用スイッチｓｗ１、解凍用スイッチｓｗ２の接続関係を図１３のようにして、端子ｔ５，ｔ２，ｔ６のいずれかを選択して使用するということも可能である。
【００６４】
また、各リーフ接片の形状や種類、連結用リーフ接片の形状や種類、さらには、筺体１１側に設ける保持部の位置などは、前述の実施の形態に限定されるものではなく、種々の変形例が考えられる。要は、様々な仕様の回路に対応できるように、それらを設定すればよい。
【００６５】
また、前述の実施の形態では、駆動源としてモータを採用しているが、ゼンマイなどの他の駆動源を使用しても良い。さらに、カム１２ａ，１６ａとリーフスイッチｓｗ１，ｓｗ２の間に、第１の動作体１５や第２の動作体１７を設けているが、それらを設けず、カム１２ａ，１６ａの動きを直接リーフスイッチｓｗ１，ｓｗ２へ伝えるようにしても良い。また、前述の実施の形態では、電子レンジ用のタイムスイッチとして説明したが、本発明は、電子レンジだけではなく、他の機器用のタイムスイッチやタイムスイッチ以外のスイッチ機構にも用いることができる。
【００６６】
【発明の効果】
以上説明したように、本発明のタイムスイッチは、たとえば、６端子、５端子、４端子など様々なタイプの回路に対し、タイムスイッチ内のリーフスイッチの構成などをわずかに変更するだけで、対応することができ、タイムスイッチと電子機器内の回路とを接続するための端子数の違いを、１つのタイムスイッチで対応することができる。これにより、使用する電子機器の回路に応じたタイムスイッチを新たに設計して用意する必要がなくなる。
【００６８】
また、請求項３記載の発明では、各リーフスイッチ間または端子とリーフスイッチ間など離れた部分を電気的に接続するための連結部材に接点部を設けることにより、リーフスイッチの一方のリーフ接片として用いることができ、様々な回路を形成することが可能となる。
【００６９】
さらに、請求項４記載の発明では、タイムスイッチ内に複数のリーフスイッチが設けられる場合、それぞれのリーフスイッチ等をタイムスイッチ筺体の厚み方向に高さを変えて段違いに配置するようにしたので、タイムスイッチのスペースの有効利用が図れ、タイムスイッチの小型化に寄与できる。
【００７０】
また、本発明のタイムスイッチの製造方法では、電子機器の回路仕様の違いに対し、わずかな手を加えるだけで様々な回路への対応を可能としたタイムスイッチを製造できる。これによって生産性の向上、コストの低廉化を達成できる。
【図面の簡単な説明】
【図１】本発明の実施の形態を説明する図であり、６端子用に対応させた場合のタイムスイッチの構成を平面的かつ一部の部材を透視して示す図である。
【図２】本発明の実施の形態において適用しようとするタイムスイッチの回路構成を示す図で、（Ａ）は６端子用、（Ｂ）（Ｃ）は５端子用、（Ｄ）（Ｅ）は４端子用のそれぞれの回路構成を示す図である。
【図３】本発明の実施の形態において用いられるリーフ接片および連結用リーフ接片を例を示す図で、（Ａ）〜（Ｄ）は各リーフ接片を、（Ｅ）（Ｆ）は各連結用リーフ接片を示す図である。
【図４】本発明の実施の形態において用いられる端子（電源供給用端子）の一例を示す図である。
【図５】図１を矢印Ａ方向から見た断面構成の要部を示す図である。
【図６】図１で示すタイムスイッチをタイマモータ側（裏側）から見た図である。
【図７】本発明の実施の形態を説明する図であり、５端子用に対応させた場合のタイムスイッチの構成を平面的かつ一部の部材を透視して示す図である。
【図８】図７を矢印Ａ方向から見た断面構成の要部を示す図である。
【図９】図７で示すタイムスイッチをタイマモータ側（裏側）から見た図である。
【図１０】本発明の実施の形態を説明する図であり、４端子用に対応させた場合のタイムスイッチの構成を平面的かつ一部の部材を透視して示す図である。
【図１１】図１０を矢印Ａ方向から見た断面構成の要部を示す図である。
【図１２】図１０で示すタイムスイッチをタイマモータ側（裏側）から見た図である。
【図１３】本発明の実施の形態において適用しようとするタイムスイッチの回路構成の他の例を示す図である。
【図１４】従来のタイムスイッチを説明する図であり、（Ａ）は６端子用に対応させたタイムスイッチの回路構成例、（Ｂ）はそのタイムスイッチの構成を概略的に示す図である。
【図１５】従来のタイムスイッチを説明する図であり、（Ａ）は５端子用に対応させたタイムスイッチの回路構成例、（Ｂ）はそのタイムスイッチの構成を概略的に示す図である。
【図１６】従来のタイムスイッチを説明する図であり、（Ａ）は４端子用に対応させたタイムスイッチの回路構成例、（Ｂ）はそのタイムスイッチの構成を概略的に示す図である。
【符号の説明】
１１  筺体
１２  調理用時間設定用歯車
１２ａ  第１のカム
１３  歯車列
１４  つまみ取付軸
１５  第１の動作体
１６  解凍時間設定用歯車
１６ａ  第２のカム
１７  第２の動作体
１８ａ〜１８ｆ  切り欠き部
１９ａ，１９ｂ  タイマモータＭへの電源供給部
２０ａ〜２０ｈ  保持部
２１  規制部材
２２  仕切板
Ｍ  タイマモータ（駆動源）
ｓ１１、ｓ１２，ｓ２１，ｓ２２  リーフ接片
ｓ３１  第１の連結用リーフ接片（連結部材）
ｓ３２  第２の連結用リーフ接片（連結部材）
ｓｗ１  調理用スイッチ（リーフスイッチ）
ｓｗ２  解凍用スイッチ（リーフスイッチ）
ｔ１〜ｔ６  端子
【図１】
0003886077.tif 000002
【図２】
0003886077.tif 000003
【図３】
0003886077.tif 000004
【図４】
0003886077.tif 000005
【図５】
0003886077.tif 000006
【図６】
0003886077.tif 000007
【図７】
0003886077.tif 000008
【図８】
0003886077.tif 000009
【図９】
0003886077.tif 000010
【図１０】
0003886077.tif 000011
【図１１】
0003886077.tif 000012
【図１２】
0003886077.tif 000013
【図１３】
0003886077.tif 000014
【図１４】
0003886077.tif 000015
【図１５】
0003886077.tif 000016
【図１６】
0003886077.tif 000017